(57)【要約】【課題】負荷機器などで表示される電池残量をより信憑性のあるものにする。【解決手段】二次電池の放電に伴い、積算部４２１が、放電開始から電流検出抵抗で検出された放電電荷量を減算し、残量演算部４２３が、その積算値を放電開始時点での残量から減算して実際の残量を求め、さらにその実際の残量を実容量演算部４２２に格納されている実容量の１００分比を求めることで、負荷機器などで表示する残量％を求める。このとき、実容量演算部４２２は、満充電から放電末期までの放電に伴い、積算部４２１で積算された放電電荷量を実容量として学習することで、前記残量の判定精度を向上するにあたって、禁止部４５が、満充電から９６時間以上の放置、放電途中での充電、または低温時は、前記学習を禁止する。したがって、学習してしまうと、かえって実容量の誤差が大きくなってしまうケースでの学習を禁止し、実容量の判定精度を向上することができる。【選択図】図２
2007315880.tif 000002
【特許請求の範囲】
【請求項１】
電流検出手段、電圧検出手段および演算手段を備え、前記演算手段が、前記電圧検出手段によって二次電池が予め定める第１の電圧レベルから第２の電圧レベルまで放電されたことが検出されると、その間に前記電流検出手段によって検出された放電電流から放電電荷量を積算し、その積算値を前記二次電池の実容量として学習するようにした電池容量判定装置において、
前記二次電池の予め定める時間以上の放置、または前記第１の電圧レベルから第２の電圧レベルへの放電途中での充電の少なくとも一方で、前記演算手段による学習を禁止する禁止手段を含むことを特徴とする電池容量判定装置。
【請求項２】
予め定める条件が満足される間、前記演算手段による学習が行われなかった場合には、前記二次電池に強制的に前記第１の電圧レベルまで充電を行わせ、第２の電圧レベルへ放電させて、前記演算手段による実容量の学習を行わせる強制学習手段を備えることを特徴とする請求項１記載の電池容量判定装置。
【請求項３】
前記予め定める条件は、前回学習時からの総充電量または総放電量の少なくとも一方が現在の実容量または定格容量の所定倍に達したこと、または前回学習時からの二次電池の放置期間が所定期間経過したこととの少なくとも一方であることを特徴とする請求項２記載の電池容量判定装置。
【請求項４】
前記請求項１記載の電池容量判定装置を備えることを特徴とする電池パック。
【請求項５】
二次電池の予め定める第１の電圧レベルから第２の電圧レベルへの放電に伴い、放電電荷量を積算し、その積算値を前記二次電池の実容量として学習するようにした電池容量判定方法において、
前記二次電池の予め定める時間以上の放置または前記第１の電圧レベルから第２の電圧レベルへの放電途中での充電の少なくとも一方で、前記学習を禁止することを特徴とする電池容量判定方法。
【発明の詳細な説明】
【技術分野】
【０００１】
本発明は、電池容量判定装置および方法ならびにそれを用いる電池パックに関する。
【背景技術】
【０００２】
電池を用いる電子機器の高性能化や、アプリケーションの多様化によって、前記電池の高性能化を上回るペースで、前記電子機器の消費電力が拡大している。そこで、電池の寿命、すなわち残量（残使用時間）予測の重要性が増しており、特に二次電池では、充放電の繰返しによる劣化（放電特性の変化）によって、正確な残量の判定は難しく、前記二次電池を使用するパーソナルコンピュータやビデオカメラなどでは、電子機器が電池パックと通信を行い、演算によって得られた残量と消費電力とから、前記寿命を判定し、電子機器に表示するようになっている。
【０００３】
前記の残量判定の難しさは、満充電によっても、放電可能な実容量（実力容量Full Charge Capacity）が、二次電池の内部抵抗の増加などの劣化によって減少してゆくために生じ、標準的な温度において、たとえば前記満充電から残量が０％になるまでの１サイクルの使用で、０．０５％程度減少する。
【０００４】
そこで、適宜前記実容量を学習する従来技術が、特許文献１〜４で提案されている。特許文献１では、現在の実容量分の充電１サイクルにつき、前記実容量から所定の劣化容量分を減算した値を現在の実容量として更新し、或いは使用しないで保存している状態が続くと、その保存温度と残量とをパラメータとして、保存期間に応じた劣化容量分を減算した値を現在の実容量として更新するというものである。
【０００５】
特許文献２では、二次電池が放電警報電圧まで放電されると、満充電まで充電を行い、その間に注入した電荷量を、前記放電警報電圧に対応する放電警報容量に加算することで、現在の実容量を学習している。
【０００６】
特許文献３では、夜間などの二次電池が使用されない期間に、該二次電池を一旦満充電状態にした後、放電停止レベルまで放電を行わせ、放電電荷量を前記現在の実容量として学習している。
【０００７】
特許文献４では、満充電と放電停止電圧（≒放電警報電圧）との間での充放電に対して、充電電流積算値に１より小さい係数を掛けた値が放電電流積算値より大きいときに前記現在の実容量の学習を禁止することで、低温状態での使用や、大電流での使用による異常な値での学習を禁止している。
【特許文献１】特開２００２−２３６１５４号公報
【特許文献２】特開２００２−２３６１５５号公報
【特許文献３】特開２００２−２４７７７３号公報
【特許文献４】特開２００３−２３２８３９号公報
【発明の開示】
【発明が解決しようとする課題】
【０００８】
したがって、特許文献１〜３では、学習の仕方については提案されているけれども、学習してしまうと、かえって実容量の誤差が大きくなってしまうケースがある。一方、特許文献４では、低温時や大電流時での学習は禁止されているけれども、禁止されていない通常時においても、学習をしてしまったために、実容量の誤差が大きくなってしまうケースがある。
【０００９】
本発明の目的は、二次電池の劣化に伴う実容量の判定精度を向上することができる電池容量判定装置および方法ならびにそれを用いる電池パックを提供することである。
【課題を解決するための手段】
【００１０】
本発明の電池容量判定装置は、電流検出手段、電圧検出手段および演算手段を備え、前記演算手段が、前記電圧検出手段によって二次電池が予め定める第１の電圧レベルから第２の電圧レベルまで放電されたことが検出されると、その間に前記電流検出手段によって検出された放電電流から放電電荷量を積算し、その積算値を前記二次電池の実容量として学習するようにした電池容量判定装置において、前記二次電池の予め定める時間以上の放置、または前記第１の電圧レベルから第２の電圧レベルへの放電途中での充電の少なくとも一方で、前記演算手段による学習を禁止する禁止手段を含むことを特徴とする。
【００１１】
また、本発明の電池容量判定方法は、二次電池の予め定める第１の電圧レベルから第２の電圧レベルへの放電に伴い、放電電荷量を積算し、その積算値を前記二次電池の実容量として学習するようにした電池容量判定方法において、前記二次電池の予め定める時間以上の放置または前記第１の電圧レベルから第２の電圧レベルへの放電途中での充電の少なくとも一方で、前記学習を禁止することを特徴とする。
【００１２】
上記の構成によれば、二次電池の放電に伴い、積算手段が、放電開始時点での残量から、電流検出手段で検出された放電電荷量を減算してゆくことで、その減算値を新たな残量として、負荷機器での残量表示などを行うにあたって、同じ満充電状態でも、前記二次電池の劣化に伴い、満充電で充電できる電荷量が減少するので、残量の判定精度を向上するために、二次電池の予め定める第１の電圧レベル、たとえば４．２Ｖ（新品状態のリチウム二次電池の満充電のレベル）から、放電末期の第２の電圧レベル、たとえば３．４Ｖ、或いは３Ｖ（残量％で、それぞれ５．５％のレベル、０％のレベル）までの放電に伴い、放電電荷量を積算し、その積算量より１００％分の実容量、たとえば５．５％であれば積算量の（１００／９４．５）倍した値を実容量として学習する。その際、本発明では、禁止手段が、前記二次電池の予め定める時間、たとえば満充電から９６時間以上の放置、または前記第１の電圧レベルから第２の電圧レベルへの放電途中での充電の少なくとも一方で、前記演算手段による学習を禁止する。
【００１３】
したがって、実容量の判定精度を向上するための学習を行うにあたって、学習してしまうと、かえって実容量の誤差が大きくなってしまうケースでの学習を禁止し、実容量の判定精度を向上することができる。これによって、負荷機器などで表示される残量をより信憑性のあるものにすることができる。
【００１４】
さらにまた、本発明の電池容量判定装置は、予め定める条件が満足される間、前記演算手段による学習が行われなかった場合には、前記二次電池に強制的に前記第１の電圧レベルまで充電を行わせ、第２の電圧レベルへ放電させて、前記演算手段による実容量の学習を行わせる強制学習手段を備えることを特徴とする。
【００１５】
上記の構成によれば、上述のような学習の禁止によって、予め定める条件、たとえば前回学習時からの総充電量または総放電量の少なくとも一方が現在の実容量または定格容量の所定倍、たとえば２０倍に達したこと、または前回学習時からの二次電池の放置期間が所定期間、たとえば５０日が経過したことが満足される間、前記演算手段による学習が行われなかった場合には、強制学習手段は、前記二次電池に強制的に前記第１の電圧レベルまで充電を行わせ、第２の電圧レベルへ放電させて、前記演算手段による実容量の学習を行わせる。
【００１６】
したがって、学習の禁止による誤差の拡大を、所定レベルに抑えることができる。
【００１７】
また、本発明の電池パックは、前記の電池容量判定装置を備えることを特徴とする。
【００１８】
上記の構成によれば、負荷機器などで表示される残量をより信憑性のあるものにすることができる電池パックを実現することができる。
【発明の効果】
【００１９】
本発明の電池容量判定装置および方法は、以上のように、二次電池の放電に伴い、積算手段が、放電開始時点での残量から電流検出手段で検出された放電電荷量を減算してゆくことで、その減算値を新たな残量として負荷機器での残量表示などを行い、前記二次電池の予め定める第１の電圧レベルから第２の電圧レベルまでの放電に伴い、放電電荷量を積算し、その積算値を実容量として学習することで、前記残量の判定精度を向上するにあたって、禁止手段が、前記二次電池の予め定める時間、たとえば満充電から９６時間以上の放置、または前記第１の電圧レベルから第２の電圧レベルへの放電途中での充電の少なくとも一方で、前記演算手段による学習を禁止する。
【００２０】
それゆえ、実容量の判定精度を向上するための学習を行うにあたって、学習してしまうと、かえって実容量の誤差が大きくなってしまうケースでの学習を禁止し、実容量の判定精度を向上することができる。これによって、負荷機器などで表示される残量をより信憑性のあるものにすることができる。
【００２１】
また、本発明の電池パックは、以上のように、前記の電池容量判定装置を備える。
【００２２】
それゆえ、負荷機器などで表示される残量をより信憑性のあるものにすることができる電池パックを実現することができる。
【発明を実施するための最良の形態】
【００２３】
［実施の形態１］
図１は、本発明の実施の一形態に係る電池容量判定方法が用いられる充電システムの電気的構成を示すブロック図である。この充電システムは、電池パック１に、それを充電する充電器２を備えて構成されるが、負荷機器が設けられて電子機器システムが構成されてもよい。その場合、電池パック１は、負荷機器に装着されて、該負荷機器を通して充電が行われてもよい。電池パック１および充電器２は、充電を行う直流ハイ側の端子Ｔ１１，Ｔ２１と、通信信号の端子Ｔ１２，Ｔ２２と、充電および通信信号のためのＧＮＤ端子Ｔ１３，Ｔ２３とによって相互に接続される。前記負荷機器にも、同様の３つの端子が設けられる。
【００２４】
前記電池パック１内で、前記の端子Ｔ１１から延びる直流ハイ側の充電経路１１には、充電用と放電用とで、相互に導電形式が異なるＦＥＴ１２，１３が介在されており、その充電経路１１が組電池１４のハイ側端子に接続される。前記組電池１４のロー側端子は、直流ロー側の充電経路１５を介して前記ＧＮＤ端子Ｔ１３に接続され、この充電経路１５には、充電電流および放電電流を電圧値に変換する電流検出抵抗１６が介在されている。
【００２５】
前記組電池１４は、複数の二次電池のセルが直並列に接続されて成り、そのセルの温度は温度センサ１７によって検出され、制御ＩＣ１８内のアナログ／デジタル変換器１９に入力される。また、前記各セルの端子間電圧は電圧検出回路２０によって読取られ、前記制御ＩＣ１８内のアナログ／デジタル変換器１９に入力される。さらにまた、前記電流検出抵抗１６によって検出された電流値も、前記制御ＩＣ１８内のアナログ／デジタル変換器１９に入力される。前記アナログ／デジタル変換器１９は、各入力値をデジタル値に変換して、充電制御判定部２１へ出力する。
【００２６】
前記充電制御判定部２１は、マイクロコンピュータおよびその周辺回路などを備えて成り、前記アナログ／デジタル変換器１９からの各入力値に応答して、組電池１４の残量が、満充電時の何％であるかを演算して、通信部２２から端子Ｔ１２，Ｔ２２；Ｔ１３，Ｔ２３を介して充電器２へ送信する。また、前記充電制御判定部２１は、前記アナログ／デジタル変換器１９からの各入力値から、充電器２に対して、出力を要求する充電電流の電圧値、電流値、およびパルス幅（デューティ）を演算し、通信部２２から端子Ｔ１２を介して送信するとともに、前記各入力値から、端子Ｔ１１，Ｔ１３間の短絡や充電器２からの異常電流などの電池パック１の外部における異常や、組電池１４の異常な温度上昇などに対して、前記ＦＥＴ１２，１３を遮断するなどの保護動作を行う。
【００２７】
充電器２では、前記の残量を制御ＩＣ３０の制御部３１が通信部３２を介して受信し、表示パネル３４に表示を行う。また、前記制御部３１は、前記の電池パック１から要求のあった電圧値、電流値、およびデューティの充電電流を、充電電流供給回路３３に、端子Ｔ２１，Ｔ１１；Ｔ２３，Ｔ１３から出力させる。
【００２８】
前記充電制御判定部２１は、放電開始時点での残量から、電流検出抵抗１６で検出された放電電荷量を減算してゆくことで、組電池１４の残量が満充電時の何％であるかを表す残量％を演算するにあたって、電圧検出回路２０によって各セルが予め定める第１の電圧レベルから第２の電圧レベルまで放電されたことが検出されると、その間に前記電流検出抵抗１６によって検出された放電電流から放電電荷量を積算し、その積算値を実容量として学習する。注目すべきは、本実施の形態では、前記充電制御判定部２１は、その積算値を実容量として学習するにあたって、該電池パック１の満充電から予め定める時間以上の放置、前記第１の電圧レベルから第２の電圧レベルへの放電途中での充電、または電池パック１の温度が所定温度以下であると、前記学習を禁止することである。
【００２９】
たとえば、前記第１の電圧レベルは満充電のレベルであり、新品状態のリチウム二次電池で４．２Ｖである。たとえば、前記第２の電圧レベルは、放電末期のレベルであり、残量％で５．５％のレベル、たとえば前記リチウム二次電池で３．４Ｖや、０％のレベル、たとえば前記リチウム二次電池で３Ｖである。また、たとえば、前記予め定める時間は９６時間であり、前記所定温度は１０℃である。
【００３０】
また、注目すべきは、本実施の形態では、前記充電制御判定部２１は、予め定める条件が満足される間、前記の実容量の学習が行われなかった場合には、充電器２へ前記電圧値、電流値およびデューティを要求して、充電電流供給回路３３からの充電電流で前記各セルに強制的に前記第１の電圧レベルまで充電を行わせた後、充電器２内のダミーロード３５を使用して、前記第２の電圧レベルへ放電させて、実容量の学習を行うことである。
【００３１】
たとえば、前記予め定める条件は、前回学習時からの総充電量または総放電量の少なくとも一方が定格容量の所定倍、たとえば２０倍に達したこと、または前回学習時からの電池パック１の放置期間が所定期間、たとえば５０日が経過したことである。
【００３２】
図２は、前記制御ＩＣ１８の充電制御判定部２１の具体的な一構成例を示すブロック図である。充電制御判定部２１は、充放電制御部４１と、演算部４２と、残量補正部４３と、データテーブル４４と、禁止部４５と、強制学習部４６とを備えて構成される。
【００３３】
前記充放電制御部４１は、上述のような充放電の制御および異常に対する保護動作を行うものであり、充電器２に対して要求する充電電流の電圧値、電流値、デューティおよび異常の有無を、通信部２２から端子Ｔ１２，Ｔ１３を介して送信する。前記演算部４２は、後述するようにして、組電池１４の実容量に対する現在の使用状態での残量の割合である残量％を演算する。前記残量補正部４３は、放電時に、セル電圧が予め定められる複数の補正ポイントの値となる毎に、後述するように前記演算部４２で求められた残量％を、その補正ポイントにおける残量％の値に逐次補正する。
【００３４】
図３には、放電の継続による前記残量％の低下を示すとともに、放電電流の増加によるセル電圧の低下や温度低下によるセル電圧の低下などを示す放電特性の一例および定消費電力時における放電の継続によるセル電圧の低下に伴う放電電流の増加を示す。本実施の形態では、前記残量％が、５．５％、３．５％、０％を前記補正ポイントとし、前記補正ポイントまでは、演算部４２での積算値を、充電器２へ出力する残量％の値とする。一方、残量補正部４３は、前記電圧検出回路２０によって検出されるセル電圧、電流検出抵抗１６によって検出される放電電流および温度センサ１７によって検出されるセル温度をモニタしており、前記放電電流およびセル温度に対応して定められる補正ポイントの電圧値にセル電圧が達すると、前記演算部４２の積算値を、その補正ポイントの残量％の値に補正する。
【００３５】
詳しくは、前記データテーブル４４には、温度および放電電流に対応した電圧値が記憶されており、たとえば５．５％の補正ポイントは、１０℃０Ａで３．３８Ｖに選ばれるのに対して、６０℃になると、３．４３Ｖに選ばれる。残量補正部４３は、このデータテーブル４４から、現在の放電電流およびセル温度に対応した電圧値を読出し、セル電圧がその電圧値に達すると、残量％をその補正ポイントの値とする。このような補正を、図３において、時刻ｔ１，ｔ２，ｔ３で示すように、セル電圧が補正ポイントの電圧値まで低下する毎に行う。図３の例では、残量％の積算値が、５．５％および３．５％の補正ポイントに達した時点でのセル電圧が、データテーブル４４に記憶されている値よりも高かったために、積算値が小さく補正されていることを表している。こうして、放電末期の残量％が小さい状態において、複数の各補正ポイントで積算値を補正することで、充電器２での残量％の表示精度を向上するようになっている。
【００３６】
そして、このような残量％の表示を行うにあたって、同じ満充電状態でも、二次電池の劣化に伴い、満充電状態で充電できる電荷量が減少するので、残量の判定精度を向上するために前述のように二次電池の実容量の学習を行うようにし、本実施の形態では、さらにその学習を状況に応じて行うようにする。
【００３７】
なお、前記満充電までの充電は、たとえば以下のようにして行われる。充電開始とともに、微小な充電電流、たとえば５０ｍＡを供給するトリクル充電を行い、各セルのセル電圧が何れも所定の電圧、たとえば２．５Ｖに達すると、定電流（ＣＣ）充電に切換わる。この定電流（ＣＣ）充電領域では、電池パックの充電端子（Ｔ１１，Ｔ１３）に、セル当り所定の電圧、たとえば４．２Ｖ、したがって３セル直列の場合は１２．６Ｖが印加されて、予め定める定電流、たとえば公称容量値ＮＣを定電流放電して、１時間で放電できるレベルを１Ｃとして、その７０％に、並列セル数Ｐを乗算した充電電流が供給され、急速充電が行われる。これによって、前記充電端子（Ｔ１１，Ｔ１３）の端子電圧が所定の電圧となると、定電圧（ＣＶ）充電に切換わり、その所定の電圧を超えないように充電電流が減少されてゆき、前記充電電流値が温度によって設定される所定の電流値まで低下すると満充電と判定して充電電流の供給が停止される。したがって、二次電池の劣化によって内部抵抗が大きくなると、同じ充電電圧を印加しても、上述のように満充電で充電できる電荷量、すなわち実容量が減少する。
【００３８】
図２を参照して、前記演算部４２は、充放電の電荷量を積算する積算部４２１と、その積算部４２１の積算値から、実容量を求める実容量演算部４２２と、残量％を求める残量演算部４２３と、充放電量を求める充放電量演算部４２４とを備えて構成される。この演算部４２には、前記充放電制御部４１から、該電池パック１のステータス情報が入力されており、そのステータス情報によって、充電状態であるか、放電状態であるか、或いは満充電状態に達したかなどを判定することができる。そして、積算部４２１は、充電状態と放電状態とが切換わると、積算値をリセットして、前記電流検出抵抗によって検出された電流値を積算してゆく。
【００３９】
前記残量演算部４２３は、積算部４２１の積算値を、それまでの残量値に加減算し、実容量演算部４２２に設定されている実容量から、（加減算値／実容量）×１００によって前記残量％を算出し、前記通信部２２を介して充電器２や負荷機器へ送信する。放電時において、この残量％は、残量補正部４３によって前述のように補正される。
【００４０】
一方、実容量演算部４２２は、満充電の状態から、５．５％の残量％まで、連続して放電が行われたときに、前記積算部４２１の積算値を取込み、その積算値を、前記５．５％の残量％における残量に加算するか、その積算量より（１００／９４．５）倍して算出した１００％分の値を、新たな実容量として学習する。このとき、前記禁止部４５が、前記充放電制御部４１からのステータス情報および前記温度センサ１７によって検出された温度値を取込んでおり、満充電となった時点で内蔵タイマ４５１を起動し、そのカウント値が前記９６時間を経過しているとき、セルの温度が前記１０℃以下であるとき、または放電が一旦停止されて充電が行われたときのいずれか１つの条件が満足されたときには、前記実容量演算部４２２の学習を禁止する。積算部４２１は、充放電が切換えられると、リセットしてから積算動作を再開するようにしてもよく、加算と減算とを切換えるようにしてもよい。
【００４１】
これに対して、前記演算部４２に設けられている充放電演算部４２４は、前記積算部４２１で求められた充放電量を積算しており、前回学習時からの総充電量または総放電量の少なくとも一方が定格容量の所定倍、たとえば２０倍に達すると、強制学習部４６が充放電制御部４１へ強制学習のトリガを出力する。また、強制学習部４６は、前記実容量演算部４２２の学習結果から、前回学習時からの電池パック１の放置期間をタイマ４６１でカウントし、そのカウント値が前記５０日を経過すると、前記充放電制御部４１へ強制学習のトリガを出力する。前記実容量演算部４２２の学習結果から、一旦学習が行われると、充放電演算部４２４の積算値はリセットされる。前記充放電演算部４２４における前回学習時からの総充電量または総放電量の比較は、前記定格容量を基準とするのではなく、現在の実容量が基準とされてもよい。
【００４２】
強制学習が行われると、充放電制御部４１は、通信部２２から通信部３２を介して、充電器２側の制御部３１に対して充電の要求を行い、充電電流供給回路３３からの充電電流で二次電池の充電を行い、満充電となると、放電の要求を行い、端子Ｔ２１，Ｔ２３間に介在される前記ダミーロード３５およびＦＥＴ３６の直列回路によって、前記二次電池に放電を行わせる。
【００４３】
したがって、電流検出抵抗１６は電流検出手段を構成し、電圧検出回路２０は電圧検出手段を構成し、充電制御判定部２１の演算部４２が演算手段を構成し、禁止部４５が禁止手段を構成し、それらを併せて本発明に係る電池容量判定装置が構成される。また、強制学習部４６、充放電制御部４１および充電器２が強制学習手段を構成する。
【００４４】
以上のように、本実施の形態では、二次電池が満充電状態から放電末期の、たとえば残量％で５．５％の状態まで放電されたときに積算部４２１で求められる放電電荷量を実容量演算部４２２が新たな実容量として学習することで、充電器２や負荷機器での残量％表示のために残量演算部４２３で求められる残量％の精度を向上するにあたって、禁止部４５によって、満充電となってから９６時間以上が経過しているとき、セルの温度が１０℃以下の低温であるとき、または放電が一旦停止されて充電が行われたときのいずれか１つの条件が満足されたときには、前記学習が禁止されるので、学習してしまうと、かえって実容量の誤差が大きくなってしまうケースでの学習を禁止し、実容量の判定精度を向上することができる。これによって、前記充電器２や負荷機器などで表示される残量をより信憑性のあるものにすることができる。
【００４５】
また、本実施の形態では、前回学習時からの総充電量または総放電量の少なくとも一方が定格容量の所定倍、たとえば２０倍に達すると、または前回学習時からの電池パック１の放置期間が所定期間、たとえば５０日が経過すると、強制学習部４６は、充放電制御部４１に強制学習のトリガを与え、充電器２に充放電させて前記の学習を強制的に行うので、学習の禁止による誤差の拡大を、所定レベルに抑えることができる。
【産業上の利用可能性】
【００４６】
本発明は、充電器や負荷機器での残量表示などのために使用される二次電池の実容量の判定精度を向上することができるので、前記充電器や負荷機器などで表示される残量をより信憑性のあるものにすることができ、電池パックに好適である。
【図面の簡単な説明】
【００４７】
【図１】本発明の実施の一形態に係る電池容量判定方法が用いられる充電システムの電気的構成を示すブロック図である。
【図２】図１で示す電池パックの制御ＩＣにおける充電制御判定部の具体的な一構成例を示すブロック図である。
【図３】リチウム二次電池の放電特性の一例を示すグラフである。
【符号の説明】
【００４８】
１    電池パック
２    充電器
１１，１５    充電経路
１２，１３，３６    ＦＥＴ
１４    組電池
１６    電流検出抵抗
１７    温度センサ
１８，３０    制御ＩＣ
１９    アナログ／デジタル変換器
２０    電圧検出回路
２１    充電制御判定部
２２，３２    通信部
３１    制御部
３３    充電電流供給回路
３４    表示パネル
３５    ダミーロード
４１    充放電制御部
４２    演算部
４２１  積算部
４２２  実容量演算部
４２３  残量演算部
４２４  充放電量演算部
４３    残量補正部
４４    データテーブル
４５    禁止部
４６    強制学習部
Ｔ１１，Ｔ２１；Ｔ１２，Ｔ２２；Ｔ１３，Ｔ２３    端子
【図１】
2007315880.tif 000003
【図２】
2007315880.tif 000004
【図３】
2007315880.tif 000005